(57)【特許請求の範囲】
【請求項１】
柱に固定される内部部材に取付けられる第１固定部材と、第２固定部材と、直方体状とされた間隔調整部材とを備え、
前記第１固定部材は、内部部材に取り付けられるＬ字状の基底部と、該基底部から一体的かつ柱の形状に対応させて形成された挟持部とを有し、
前記第２固定部材は、前記第１固定部材の基底部の底面からの立ち上がり面に対応させて設けられた対応面と、前記第１固定部材の挟持部に対応させて該対応面から一体的に形成された挟持部とを有し、
前記間隔調整部材の一端を前記第２固定部材の対応面に取付けた状態で、その他端を立ち上がり面に引き寄せながら前記立ち上がり面にビス留めすることにより、前記各挟持部により柱を挟持して内部部材を柱に取付ける
ことを特徴とする柱への内部部材の取付構造。
【請求項２】
前記内部部材が建具枠または間仕切パネルとされ、かつ前記柱が内部柱とされてなることを特徴とする請求項１記載の柱への内部部材の取付構造。
【発明の詳細な説明】
【０００１】
【発明の属する技術分野】
本発明は柱への内部部材の取付構造に関する。さらに詳しくは、間仕切パネルや内装建具枠の内部柱への取付構造の改善に関する。
【０００２】
【従来の技術】
従来より、間仕切パネルａや内装建具枠ｂの内部柱ｃへの取付けは、図１０〜１２に示すように、間仕切パネルａや内装建具枠ｂの内部柱ｃに面する面にＵ字状の固定金具ｄをその開口部を内部柱ｃに向けて取付け、そしてこの固定金具ｄにより内部柱ｃを挾み込むことにより、あるいは固定金具ｄの内部に接着剤を塗布して内部柱ｃを挾み込むことによりなされている。
【０００３】
しかしながら、かかる間仕切パネルａや内装建具枠ｂの内部柱ｃへの取付け構造は、次のような問題を有している。
【０００４】
（１）固定金具ｄにより内部柱ｃを挾み込む際に建具枠などを内部柱ｃに打ち付けることによりなされているため、建具枠ｂなどを傷つけるおそれがある。
【０００５】
（２）固定金具ｄにより内部柱ｃを挾み込んで取付けるだけであるので、取付後における建具の開閉繰返しにより、取付けられた枠ｂがずれるおそれがある。また、取付枠ｂがずれると建具の開閉不良を引き起こす。
【０００６】
（３）取付けに際し接着剤を用いた場合、接着剤が硬化するまで養生しなければならないため、施工能率が低下する。また、取付後における建具の開閉繰返しによる振動のために、取付部が外れるおそれがある。
【０００７】
なお、間仕切パネルａなどは内部柱ｃにねじなどにより直接取付けられる場合もあるが、内部柱ｃの板厚によっては取付に長時間を要し、施工能率が低下することもあるという問題もある。
【０００８】
【発明が解決しようとする課題】
本発明はかかる従来技術の課題に鑑みなされたものであって、間仕切パネルや内装建具枠を傷つけることなく内部柱に確実に取付けることができる柱への内部部材の取付構造を提供することを目的としている。
【０００９】
【課題を解決するための手段】
本発明は、柱に固定される内部部材に取付けられる第１固定部材と、第２固定部材と、直方体状とされた間隔調整部材とを備え、
前記第１固定部材は、内部部材に取り付けられるＬ字状の基底部と、該基底部から一体的かつ柱の形状に対応させて形成された挟持部とを有し、
前記第２固定部材は、前記第１固定部材の基底部の底面からの立ち上がり面に対応させて設けられた対応面と、前記第１固定部材の挟持部に対応させて該対応面から一体的に形成された挟持部とを有し、
前記間隔調整部材の一端を前記第２固定部材の対応面に取付けた状態で、その他端を立ち上がり面に引き寄せながら前記立ち上がり面にビス留めすることにより、前記各挟持部により柱を挟持して内部部材を柱に取付ける
ことを特徴とする柱への内部部材の取付構造に関する。
【００１０】
本発明においては、例えば前記内部部材が建具枠または間仕切パネルとされ、かつ前記柱が内部柱とされる。
【００１１】
【作用】
内部部材に取付けられた第１固定部材を柱に押し付けてその挾持部により柱を挾持させ、ついで第２固定部材を柱に押し付けてその挾持部により柱を挾持させながら第１固定部材に間隔調整部材を介して取付ける。これにより、柱が第１固定部材および第２固定部材により挾持される。つまり、内部部材が柱に取付けられる。
【００１２】
【発明の実施の形態】
以下、添付図面を参照しながら本発明を実施の形態に基づいて説明するが、本発明はかかる実施の形態のみに限定されるものではない。
【００１３】
実施の形態１
本発明の柱Ｃへの内部部材の取付構造Ｋの実施の形態１を図１および図２に示し、この実施の形態１の取付構造Ｋは、具体的には建具枠１を角パイプの内部柱Ｃに取付けるものである。
【００１４】
この建具枠１の内部柱Ｃへの取付構造Ｋは、第１固定金具１０と、この第１固定金具１０と協働して内部柱Ｃを挾み込む第２固定金具２０と、第１固定金具１０と第２固定金具２０の間隔を調整する間隔調整部材３０とを主要構成要素としてなる。
【００１５】
第１固定金具１０は、Ｌ字状の基底部１１とこの基底部１１の上端１１ａから一体的に構成されている挾持部１５とからなり、そしてこの基底部１１はＬ字の底面１２が建具枠１に沿って建具枠１に設けられた取付部材２の適宜位置にビス留めされる。また、挾持部１５は内部柱Ｃの建具枠に対して垂直な垂直面に当接する内部柱Ｃの当接面より若干大きな幅の押さえ面１６と、この押さえ面１６から内部柱Ｃに向けて垂設されている一対のガイド面１７、１７とからなる。そして、このガイド面１７の内の建具枠１側のガイド面１７の先端１７ａが基底部１１の垂直面１３の先端１３ａと接合されて一体化されている。なお、挾持部１５の内部柱Ｃと接触する面にはクッション材（図示省略）が貼り付けられて、金属音が発生するのが防止されるのが好ましい。
【００１６】
第２固定金具２０は、第１固定金具１０の挾持部１５に対応させて対称に設けられた挾持部２５と、この挾持部２５の建具枠１側のガイド面１７の先端１７ａから第１固定金具１０の基底部１１の垂直面１３に対応させて設けられた垂直面２３とからなる。この挾持部２５も、第１固定金具１０の挾持部１５と同様、内部柱Ｃと接触する面にはクッション材（図示省略）が貼り付けられて、金属音が発生するのが防止されるのが好ましい。そして、この垂直面２３に厚さｈがこの垂直面２３とほぼ同一とされた間隔調整部材３０があらかじめ垂直面２３に取付けられてある。ここで、この間隔調整部材３０の幅ｗは、第２固定金具２０が取付られている反対面に第１固定金具１０が取付られた際に、内部柱Ｃに対する適度の挾持力が得られるように調整されている。なお、図中、符号３はビスを示し、符号Ｐは壁パネルを示す。
【００１７】
次に、かかる構成とされている取付構造Ｋによる建具枠１の内部柱Ｃへの取付けについて説明する。なお、この取付は、通常、建具枠１の上、中、下の３〜４ケ所に対してなされる。
【００１８】
（１）第１固定金具１０を建具枠１の取付部材２の適宜位置にビス留めする。
【００１９】
（２）第１固定金具１０の挾持部１５に内部柱Ｃを挾持させる。
【００２０】
（３）内部柱Ｃの第１固定金具１０に挾持されている反対側を第２固定金具２０の挾持部２５により挾持させる。
【００２１】
（４）第１固定金具１０の基底部１１の底面１２の外側からビス３、３を挿通して間隔調整部材３０にねじ込む。これにより、第２固定金具２０が第１固定金具側１０に引き寄せられ、内部柱Ｃが第１固定部材１０と第２固定部材２０により確実に保持される。換言すれば、建具枠１が内部柱Ｃに確実に固定されることになる。
【００２２】
なお、図３および図４に建具枠１と壁パネルＰとの位置関係が示されている。
【００２３】
このように、この実施の形態１においては、第１固定金具１０と第２固定金具２０により内部柱Ｃを挾持することにより建具枠１を内部柱Ｃに取付けているので、建具枠１の内部柱Ｃへの取付けの際に建具枠１を内部柱Ｃに打ち付ける必要がない。そのため、建具枠１を傷つけるおそれもなくなる。また、第１固定金具１０および第２固定金具２０はそれぞれビス留めにて取付けされているので、建具の開閉が繰り返されても第１固定金具１０および第２固定金具２０による内部柱Ｃの挾持力が減少することもない。その結果、建具枠１がずれることもなく、またそのずれによる建具の開閉の不具合も生じない。すなわち、建具枠１を内部柱Ｃに確実かつ強固に固定できる。さらに、鋼製柱Ｃへの直接ビス留め作業がなくなるので、作業能率および施工精度が向上する。
【００２４】
実施の形態２
本発明の柱への内部部材の取付構造Ｋの実施の形態２を図５および図６に示し、この実施の形態２の取付構造Ｋは、実施の形態１を改変したものであって、一つの内部柱Ｃに建具枠１、１を直交させて取付けるものである。そのため、第１建具枠１Ａ用の第１固定金具１０Ａおよび第２固定金具２０Ａの内部柱Ｃに対する挾持位置と、第２建具枠１Ｂ用の第１固定金具１０Ｂおよび第２固定金具２０Ｂの内部柱Ｃに対する挾持位置とは相互に干渉しないように調整されている。
【００２５】
なお、第１固定金具１０および第２固定金具２０などの個々の構成は、実施の形態１と同様とされている。
【００２６】
実施の形態３
本発明の柱への内部部材の取付構造Ｋの実施の形態３を図７に示し、この実施の形態３の取付構造Ｋは、実施の形態２を改変したものであって、一つの内部柱にＣ建具枠１、１を並列に取付けるものである。そのため、第１建具枠１Ａ用の第１固定金具１０Ａおよび第２固定金具２０Ａの内部柱Ｃに対する挾持位置と、第２建具枠１Ｂ用の第１固定金具１０Ｂおよび第２固定金具２０Ｂの内部柱に対する挾持位置とは相互に干渉しないように調整されている。
【００２７】
なお、第１固定金具１０および第２固定金具２０などの個々の構成は、実施の形態１と同様とされている。
【００２８】
実施の形態４
本発明の柱への内部部材の取付構造Ｋの実施の形態４を図８に示し、この実施の形態４の取付構造Ｋは、実施の形態１を改変したものであって、二重柱とされている内部柱Ｃに建具枠１を取付けるものである。そのため、第１固定金具１０および第２固定金具２０の挾持部１５、２５の幅がそれに合わせて広くされている。
【００２９】
なお、第１固定金具１０および第２固定金具２０のその余の構成は、実施の形態１と同様とされている。
【００３０】
実施の形態５
本発明の柱への内部部材の取付構造Ｋ´の実施の形態５を図９に示し、この実施の形態４の取付構造Ｋ´は、実施の形態１を改変したものであって、建具枠１に代えて間仕切パネル４を内部柱Ｃに取付けるものである。
【００３１】
なお、第１固定金具１０および第２固定金具２０などの個々の構成は、実施の形態１と同様とされている。
【００３２】
以上、本発明を実施の形態に基づいて説明してきたが、本発明はかかる実施の形態のみに限定されるものではなく、種々改変が可能である。例えば、実施の形態では内部柱とされているが、外部柱であってもよい。また、実施の形態では角パイプの柱とされているが、挾持部の形態を適宜変更することにより、他の形状の柱にも適用できる。
【００３３】
【発明の効果】
以上詳述したように、本発明によれば、第１固定金具と第２固定金具により柱を挾持することにより建具枠などの内部部材を柱に取付けているので、建具枠などの内部部材の柱への取付けの際に建具枠などの内部部材を柱に打ち付ける必要がないという優れた効果が得られる。そのため、建具枠を傷つけるおそれもなくなるという効果も得られる。
【００３４】
また、第１固定金具および第２固定金具は、それぞれビス留めにより取付けされているので、建具などの開閉が繰り返されても第１固定金具および第２固定金具による柱の挾持力が減少することもないという優れた効果も得られる。その結果、建具枠などの内部部材がずれることもなく、またそのずれによる建具の開閉の不具合も生じないという効果も得られる。すなわち、建具枠などの内部部材を柱に確実かつ強固に固定できるという効果も得られる。
【００３５】
さらに、鋼製柱への直接ビス留め作業がなくなるので、作業能率および施工精度が向上するという効果も得られる。
【図面の簡単な説明】
【図１】本発明の実施の形態１の取付構造の構成要素を分解して示す斜視図である。
【図２】同構成要素を組立てて示す斜視図である。
【図３】本発明の実施の形態１における建具枠と壁パネルと位置関係を示す平面断面図であって、建具枠が壁パネル方向に設けられている例を示す。
【図４】本発明の実施の形態１における建具枠と壁パネルと位置関係を示す平面断面図であって、建具枠が壁パネル方向に直交させて設けられている例を示す。
【図５】本発明の実施の形態２の斜視図である。
【図６】本発明の実施の形態２における建具枠と壁パネルと位置関係を示す平面断面図である。
【図７】本発明の実施の形態３における建具枠と壁パネルと位置関係を示す平面断面図である。
【図８】本発明の実施の形態４の斜視図である。
【図９】本発明の実施の形態５の斜視図である。
【図１０】従来の取付構造の一例において、間仕切パネルを内部柱から分離して示す斜視図である。
【図１１】同要部拡大斜視図である。
【図１２】従来の取付構造の他の例における平面断面図である。
【符号の説明】
１        建具枠
２        取付部材
３        ビス
４        間仕切パネル
１０      第１固定金具
１１      基底部
１２      底面
１３      垂直面
１５      挾持部
１６      押さえ面
１７      ガイド面
２０      第２固定金具
２３      垂直面
２５      挾持部
３０      間隔調整部材
Ｋ        取付構造
Ｃ        柱、内部柱
Ｐ        壁パネル
【図１】
0003680153.tif 000002
【図２】
0003680153.tif 000003
【図３】
0003680153.tif 000004
【図４】
0003680153.tif 000005
【図５】
0003680153.tif 000006
【図６】
0003680153.tif 000007
【図７】
0003680153.tif 000008
【図８】
0003680153.tif 000009
【図９】
0003680153.tif 000010
【図１０】
0003680153.tif 000011
【図１１】
0003680153.tif 000012
【図１２】
0003680153.tif 000013